【手続補正書】
【提出日】平成19年5月14日(2007.5.14)
【手続補正１】
【補正対象書類名】明細書
【補正対象項目名】特許請求の範囲
【補正方法】変更
【補正の内容】
【特許請求の範囲】
【請求項１】  容器内に物体を下向きに供給させるように容器の上部に設けられた供給ノズルに設けるスウィング式仕切り弁であって、
供給ノズルの下端又は下方に設けられた回動軸と、
供給ノズルのノズル孔より大きな輪郭を有し、回動軸と共に又は回動軸の周りに自在に回動して、供給ノズルのノズル孔を閉止するスウィング式弁体と、
回動軸に関し、ノズル孔に対して弁体の反対側の端部に設けられたカウンタウエイト部材と
を備え、
供給ノズルから物体が供給されないときには、弁体がカウンタウエイト部材の重量による回転モーメントによって回動して供給ノズルのノズル孔を閉止し、供給ノズルから物体が供給されるときには、弁体が物体の動圧または重量によって押圧され、カウンタウエイト部材の重力による回転モーメントに抗してノズル孔を開放するように、カウンタウエイト部材の重量が調整されていることを特徴とするスウィング式仕切り弁。
【請求項２】  反応容器内に被処理物を下向きに供給するように反応容器の上部に設けられた供給ノズルと、供給ノズルに設けられたスウィング式仕切り弁とを備える反応容器であって、スウィング式仕切り弁は、
供給ノズルの下端又は下方に設けられた回動軸と、
供給ノズルのノズル孔より大きな輪郭を有し、回動軸と共に又は回動軸の周りに自在に回動して、供給ノズルのノズル孔を閉止するスウィング式弁体と、
回動軸に関し、ノズル孔に対して弁体の反対側の端部に設けられたカウンタウエイト部材と
を備え、
供給ノズルから被処理物が供給されないときには、弁体がカウンタウエイト部材の重量による回転モーメントによって回動して供給ノズルのノズル孔を閉止し、供給ノズルから被処理物が供給されるときには、弁体が被処理物の動圧または重量によって押圧され、カウンタウエイト部材の重力による回転モーメントに抗してノズル孔を開放するように、カウンタウエイト部材の重量が調整されていることを特徴とする反応容器。
【請求項３】  反応容器は、バッチ式運転の反応容器であって、スウィング式仕切り弁は開閉弁の下流に設けられていることを特徴とする請求項２に記載の反応容器。
【請求項４】  開閉弁の耐熱温度又は許容温度が、反応容器内の流体の温度より低いことを特徴とする請求項２又は３に記載の反応容器。
【請求項５】  スウィング式弁体には、反応容器内部と供給ノズル内部とを連通する連通孔が設けてあることを特徴とする請求項２から４のうちのいずれか１項に記載の反応容器。
【手続補正２】
【補正対象書類名】明細書
【補正対象項目名】０００７
【補正方法】変更
【補正の内容】
【０００７】
上述の説明では、超臨界水反応装置を例に挙げて開閉弁の耐久性の問題を説明したが、この問題は、超臨界水反応装置の反応器に設ける開閉弁に限らず、物体をバッチ式で処理する反応器に設ける開閉弁全般に当てはまる普遍的な問題である。
そこで、本発明の目的は、反応容器に取り付ける開閉弁の耐久性を向上させる機構、及び開閉弁の耐久性の問題が生じないようにした反応容器を提供することである。
【手続補正３】
【補正対象書類名】明細書
【補正対象項目名】００１２
【補正方法】変更
【補正の内容】
【００１２】
上記目的を達成するために、本発明に係るスウィング式仕切り弁は、容器内に物体を下向きに供給するように容器の上部に設けられた供給ノズルに設けるスウィング式仕切り弁であって、
供給ノズルの下端又は下方に設けられた回動軸と、
供給ノズルのノズル孔より大きな輪郭を有し、回動軸と共に又は回動軸の周りに自在に回動して、供給ノズルのノズル孔を閉止するスウィング式弁体と、
回動軸に関し、ノズル孔に対して弁体の反対側の端部に設けられたカウンタウエイト部材と
を備え、
供給ノズルから物体が供給されないときには、弁体がカウンタウエイト部材の重量による回転モーメントによって回動して供給ノズルのノズル孔を閉止し、供給ノズルから物体が供給されるときには、弁体が物体の動圧または重量によって押圧され、カウンタウエイト部材の重力による回転モーメントに抗してノズル孔を開放するように、カウンタウエイト部材の重量が調整されていることを特徴としている。
【手続補正４】
【補正対象書類名】明細書
【補正対象項目名】００１５
【補正方法】変更
【補正の内容】
【００１５】
本発明に係るスウィング式仕切り弁及び反応容器では、被処理物が供給されないときには、反応容器内の流体が供給ノズルに逆流しないように、供給ノズルが、反応容器からスウィング式仕切り弁によって自動的に遮断されるので、従来のように、反応容器内部の温度の高い流体が対流によって供給ノズル内に供給されることがない。よって、開閉弁の温度が上昇するようなことがないので、開閉弁は損傷しない。
【手続補正５】
【補正対象書類名】明細書
【補正対象項目名】００１６
【補正方法】変更
【補正の内容】
【００１６】
本発明に係る反応容器は、バッチ式運転の反応容器であって、供給ノズル上に開閉弁を備えている場合に好適である。更には、開閉弁の耐熱温度又は許容温度が反応容器内の流体の温度より低いときに、開閉弁の下流にスウィング式仕切り弁を設けると一層、効果がある。
また、スウィング式弁体には、供給ノズルのノズル孔に連通する連通孔を設けておくと好ましい。これにより、スウィング式弁体の上流側の圧力と下流側の圧力とが等圧となり、弁体を下部からその圧力差で押圧することがなく、スウィング式弁体の上方に存在する被処理物の動圧又は重量のみで弁体を開放させることができるという作用がある。
【手続補正６】
【補正対象書類名】明細書
【補正対象項目名】００１８
【補正方法】変更
【補正の内容】
【００１８】
スウィング式仕切り弁１８は、図２に示すように、開閉弁１４のフランジ２０と、フランジ２０とフランジ結合する反応容器１０の供給ノズル１６のフランジ２２との間に設けてある。
尚、図２は、開閉弁１４の直下に設けた態様のスウィング式仕切り弁１８を図示しているが、図１は、便宜上、供給ノズル１６の下部にスウィング式仕切り弁１８が設けてあるように図示している。
【手続補正７】
【補正対象書類名】明細書
【補正対象項目名】００１９
【補正方法】変更
【補正の内容】
【００１９】
スウィング式仕切り弁１８は、フランジ２０とフランジ２２との間に介在する円板状部２４と、円板状部２４の下部に一体的に設けられた円筒部２６とを有する、スウィング式仕切り弁保持部材２８と、保持部材２８の円筒部２６内に設けられた弁体支持部３０と、弁体支持部３０に支持されたスウィング式弁体３２とを備えている。
【手続補正８】
【補正対象書類名】明細書
【補正対象項目名】００２０
【補正方法】変更
【補正の内容】
【００２０】
保持部材２８の円板状部２４は、その中心部の長手方向に、フランジ２０及びフランジ２２にそれぞれ設けられた貫通孔３４、３６と同芯で貫通孔３４、３６と同じ孔径の第１貫通孔３８と、第１貫通孔３８より大きな孔径の第２貫通孔４０とを有する。
また、保持部材２８の円筒部２６は、第２貫通孔４０より大きな内径の円筒状中空部４１を有し、下端で開口され、上端で円板状部２４に連結されている。
弁体支持部３０は、図２から図４に示すように、上部が円板状部２４の第２貫通孔４０にネジ係合する円筒部４２と、円筒部４２と一体的に円筒部４２の下部に設けられた長方形部４４とから構成され、円筒部４２及び長方形部４４には、保持部材２８の第１貫通孔３８と同芯で第１貫通孔３８と同じ孔径の貫通孔４６を有する。
【手続補正９】
【補正対象書類名】明細書
【補正対象項目名】００２４
【補正方法】変更
【補正の内容】
【００２４】
本実施形態例の反応容器１０では、実験例から判るように、被処理物が供給されないときには、供給ノズル１６が、自動的に反応容器からスウィング式仕切り弁によって遮断されるので、従来のように、反応容器内部の温度の高い流体が対流によって供給ノズル１６内に供給されることがない。よって、開閉弁１４は、温度が上昇することがないので、損傷しない。
【手続補正１０】
【補正対象書類名】明細書
【補正対象項目名】００２６
【補正方法】変更
【補正の内容】
【００２６】
本実施形態例の反応容器６０は、反応容器１０に比べて単純な取り付け機構によって、図５に示すように、供給ノズル６２の先端にスウィング式仕切り弁１８を備えている。
つまり、本実施形態例では、スウィング式仕切り弁１８は、実施形態例１のスウィング式仕切り弁保持部材２８を省略して、図５に示すように、弁体支持部３０を、直接、供給ノズル６２の下部に溶接接合又はネジ結合させている。
また、弁体支持部３０に代えて、弁体支持部３０の長方形部４４のみを供給ノズル６２に取り付けたスウィング式仕切り弁取り付け機構でも良い。
【手続補正１１】
【補正対象書類名】図面
【補正対象項目名】図２
【補正方法】変更
【補正の内容】
【図２】
2002039408.tif 000001